(57)【要約】【課題】  端末の位置が新た締め登録されている通常の経路をはずれると自動的に通知することでき、サービスの加入者間で近い位置にいる端末に被監視者の位置等を通知することのできる監視サービスシステムおよび監視サービス方法を提供する。【解決手段】  携帯端末（子供）１５から受信する位置情報および通学路情報に基づいて、携帯端末（子供）１５が通学路から外れたと判別した場合は、携帯端末（親）１４に通学路順路から外れたことを通知すると同時に、携帯端末（子供）１５が位置する場所に近い他のサービス加入者の携帯端末１６に、携帯端末（子供）１５の位置情報および通学路から外れたことを通知する。【選択図】      図１
2008092152.tif 000002
【特許請求の範囲】
【請求項１】
端末の移動経路を監視する監視サービスシステムであって、
監視者の端末の番号情報、被監視者の端末の番号情報、他のサービス加入者の端末の番号情報、および被監視者の端末の移動順路登録情報を記憶する記憶手段と、
前記被監視者の端末から受信する位置情報および前記移動順路登録情報に基づいて、前記被監視者の端末が移動順路から外れたと判別した場合は、前記監視者の端末の番号情報に基づいて、前記監視者の端末に、移動順路から外れたことを通知すると同時に、他のサービス加入者の端末から受信する位置情報に基づいて、前記被監視者の端末が位置する場所に近い他のサービス加入者の端末に、前記他のサービス加入者の端末の番号情報および前記被監視者の端末から受信する位置情報に基づいて、前記被監視者の端末の位置情報および移動順路から外れたことを通知する制御手段と、
を具備することを特徴とする監視サービスシステム。
【請求項２】
請求項１に記載の監視サービスシステムにおいて、
前記記憶手段には、前記被監視者の顔写真情報が記憶されており、前記被監視者の端末が位置する場所に近い他のサービス加入者の端末に、移動順路から外れたことを通知するとき、前記被監視者の顔写真情報も送信することを特徴とする監視サービスシステム。
【請求項３】
請求項１に記載の監視サービスシステムにおいて、
前記制御手段は、前記被監視者の端末が移動順路から外れたと判別した場合は、前記被監視者の端末を呼び出すことを特徴とする監視サービスシステム。
【請求項４】
請求項１に記載の監視サービスシステムにおいて、
前記制御手段よって、前記被監視者の端末が位置する場所に近い他のサービス加入者の端末に通知される前記被監視者の端末の位置情報は、地図情報を含むことを特徴とする監視サービスシステム。
【請求項５】
請求項１に記載の監視サービスシステムにおいて、
前記位置情報は、端末が備えるＧＰＳ機能により受信した位置情報または基地局との電界強度による位置情報であることを特徴とする監視サービスシステム。
【請求項６】
端末の移動経路を監視する監視サービ方法であって、
当該サービスの加入者のうち、監視者の端末の番号情報、被監視者の端末の番号情報、他のサービス加入者の端末の番号情報、および被監視者の端末の移動順路登録情報を記憶手段に記憶する記憶ステップと、
前記被監視者の端末から受信する位置情報および前記移動順路登録情報に基づいて、前記被監視者の端末が移動順路から外れたと判別した場合は、前記監視者の端末の番号情報に基づいて、前記監視者の端末に、移動順路から外れたことを通知すると同時に、他のサービス加入者の端末から受信する位置情報に基づいて、前記被監視者の端末が位置する場所に近い他のサービス加入者の端末に、前記他のサービス加入者の端末の番号情報および前記被監視者の端末から受信する位置情報に基づいて、前記被監視者の端末の位置情報および移動順路から外れたことを通知する制御ステップと、
を含むことを特徴とする監視サービ方法。
【請求項７】
請求項６に記載の監視サービ方法において、
前記記憶手段には、前記被監視者の顔写真情報が記憶されており、前記被監視者の端末が位置する場所に近い他のサービス加入者の端末に、移動順路から外れたことを通知するとき、前記被監視者の顔写真情報も送信することを特徴とする監視サービス方法。
【請求項８】
請求項６に記載の監視サービス方法において、
前記制御手段は、前記被監視者の端末が移動順路から外れたと判別した場合は、前記被監視者の端末を呼び出すことを特徴とする監視サービス方法。
【請求項９】
請求項６に記載の監視サービス方法において、
前記制御手段よって、前記被監視者の端末が位置する場所に近い他のサービス加入者の端末に通知される前記被監視者の端末の位置情報は、地図情報を含むことを特徴とする監視サービス方法。
【請求項１０】
請求項６に記載の監視サービス方法において、
前記位置情報は、端末が備えるＧＰＳ機能により受信した位置情報または基地局との電界強度による位置情報であることを特徴とする監視サービス方法。
【発明の詳細な説明】
【技術分野】
【０００１】
本発明は、端末の移動経路を監視する監視サービスシステムおよび監視サービス方法に関する。
【背景技術】
【０００２】
一般的に、位置情報を用いたサービスとしては、例えば特許文献１に開示されているように、子供等が所持する携帯端末の位置をＧＰＳ等を用いて特定し、位置情報を提供するサービスがある。
【特許文献１】特開２００５−１１７１９１号公報
【発明の開示】
【発明が解決しようとする課題】
【０００３】
しかし、上述した従来の技術では、常に携帯端末の位置を監視していなければならず、煩雑である。また、どの位置に端末が移動すると危険であるかの判別が付きにくい。さらに、位置が特定された端末の場所に、即座に駆けつけられないことがある。
【０００４】
本発明は以上のような点に鑑みてなされたものであり、その目的は、端末の位置が新た締め登録されている通常の経路をはずれると自動的に通知することでき、サービスの加入者間で近い位置にいる端末に被監視者の位置等を通知することのできる監視サービスシステムおよび監視サービス方法を提供することにある。
【課題を解決するための手段】
【０００５】
上記目的を達成するために、本発明の一態様によれば、端末の移動経路を監視する監視サービスシステムであって、当該サービスの加入者のうち、監視者の端末の番号情報、被監視者の端末の番号情報、他のサービス加入者の端末の番号情報、および被監視者の端末の移動順路登録情報を記憶する記憶手段と、前記被監視者の端末から受信する位置情報および前記移動順路登録情報に基づいて、前記被監視者の端末が移動順路から外れたと判別した場合は、前記監視者の端末の番号情報に基づいて、前記監視者の端末に、移動順路から外れたことを通知すると同時に、他のサービス加入者の端末から受信する位置情報に基づいて、前記被監視者の端末が位置する場所に近い他のサービス加入者の端末に、前記他のサービス加入者の端末の番号情報および前記被監視者の端末から受信する位置情報に基づいて、前記被監視者の端末の位置情報および移動順路から外れたことを通知する制御手段と、を具備することを特徴とする監視サービスシステムが提供される。
【発明の効果】
【０００６】
本発明によれば、端末の位置が新た締め登録されている通常の経路をはずれると自動的に通知することでき、サービスの加入者間で近い位置にいる端末に被監視者の位置等を通知する監視サービスシステムおよび監視サービス方法を提供できる。
【発明を実施するための最良の形態】
【０００７】
（第１実施形態）
以下図面を参照して、本発明の第１実施形態について説明する。
【０００８】
図１は、本発明の第１実施形態に係る監視サービスシステムを示した構成図である。
【０００９】
監視サービスシステムは、サービスを提供するサーバ装置１０、サービスに加入している携帯端末１４、１５、１６等を運営する携帯電話会社が所持する携帯電話会社サーバ１１、電話通信網等である通信回線１２、サービスに加入している携帯端末１４、１５、１６等と無線で接続する基地局１３、サービスに加入している携帯端末１４、１５、１６等から構成される。
【００１０】
なお、サービスに加入している携帯端末１４、１５、１６のうち、監視者である親の端末を携帯端末１４、被監視者である子供等の端末を携帯端末１５、監視者および被監視者以外で当該サービスに加入している他の端末を携帯端末１６とする。
【００１１】
次に図２は、サーバ装置の構成を示したブロック図である。
【００１２】
サーバ装置１０は、制御手段２０、記憶手段３０、通信手段４０を備えている。
【００１３】
制御手段２０は、被監視端末である携帯端末（子供）１５からの位置情報と、予め記憶手段３０に記憶されている経路情報である通学路情報等から、通常の経路を外れたかどうかかの判別等を行う。記憶手段３０は、監視者の端末である携帯端末（親）１４の電話番号、被監視者の端末である携帯端末（子供）１５の電話番号、その他の当該サービス加入者の端末である携帯端末１６の電話番号、および携帯端末（子供）１５の移動順路登録情報である通学路等の情報を記憶する。さらに、携帯端末（子供）１５のユーザである例えば子供の顔写真データも記憶する。通信手段４０は、通信回線１２との接続制御を行う。
【００１４】
なお、位置情報は、端末が備えるＧＰＳ機能により受信した位置情報または基地局との電界強度による位置情報に基づいて判別される。
【００１５】
次に図３は、本発明の一実施形態に係る監視サービスシステムを適用した監視サービス方法を説明したフローチャートである。
【００１６】
サーバ装置１０の記憶手段３０に、予め監視者の端末である携帯端末（親）１４の電話番号、被監視者の端末である携帯端末（子供）１５の電話番号、その他のサービス加入者の端末である携帯端末１６の電話番号、および携帯端末（子供）１５の移動順路登録情報である通学路等の情報、携帯端末（子供）１５のユーザである例えば子供の顔写真データ、登録されたルートを外れた場合の通知先の端末の情報等が記憶される（ステップ１）。
【００１７】
サーバ装置１０の制御手段２０は、被監視者の端末である携帯端末（子供）１５から定期的に位置情報を受信しており、この位置情報と通学路等の情報とを比較することにより、登録されたルート（通学路等）を外れたか否かを判別する（ステップＳ２）。例えば図４に示すように、登録されたルートが細い矢印のルートで、位置情報により、太い矢印のルートにはいったときは、登録ルートを外れたと判別する。
【００１８】
ステップＳ２で、サーバ装置１０の制御手段２０により、登録されたルートを外れたと判別された場合（ステップＳ２のＹＥＳ）、サーバ装置１０の制御手段２０は、登録された通知先の端末、例えば、監視者の端末である携帯端末（親）１４にルートを外れたことを通知する。また、当該サービス加入者の端末である携帯端末１６のうち、携帯端末（子供）１５の位置情報から判別された近い場所にいる携帯端末１６に、携帯端末（子供）１５のユーザの顔写真データ、携帯端末（子供）１５のいる場所の地図データ等をルートを外れた旨の通知と共に送信する。
【００１９】
これらの通知を受信した携帯端末１６のユーザは、顔写真データおよび地図データに基づいて周囲を探索することができる。また、携帯端末（親）１４のユーザは、携帯端末（子供）１５に電話を掛ける等のアクションを行うことができる。
【００２０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２１】
【図１】本発明の第１実施形態に係る監視サービスシステムを示した構成図。
【図２】サーバ装置の構成を示したブロック図。
【図３】本発明の一実施形態に係る監視サービスシステムを適用した監視サービス方法を説明したフローチャート。
【図４】本発明の第１実施形態に係るルートを外れたか否かの判別方法を示す模式図。
【符号の説明】
【００２２】
１０…サーバ装置、１１…携帯電話会社サーバ、１２…通信回線、１３…基地局、１４．１５…携帯端末、１４…携帯端末、１５…携帯端末、１６…携帯端末、２０…制御手段、３０…記憶手段、４０…通信手段。
【図１】
2008092152.tif 000003
【図２】
2008092152.tif 000004
【図３】
2008092152.tif 000005
【図４】
2008092152.tif 000006